(57)【要約】      （修正有）【課題】内部に空気を充填したチューブからなるフレームを有する構造物であって、軽量で組立て・撤収作業も簡単であるという特徴を生かしつつ、日差しや風雨などを避ける目的のために張り出した構造を備えた構造体を提供する。【解決手段】内部に空気を充填したチューブからなるフレームを有する構造物であって、前記フレームの一部に内部に空気を充填したひさし状の張出部を備えることを特徴とする。また、前記フレームは、柱部０１１１、０１１３、０１１４と、梁部０１２１、０１２２と、土台部０１３２とからなり、張出部が柱部０１１１、０１１３、０１１４に備えられていることを特徴とする構造物又は張出部が梁部０１２１、０１２２に備えられていることを特徴とする構造物。【選択図】図１
0003183137.tif 000002
【実用新案登録請求の範囲】
【請求項１】
内部に空気を充填したチューブからなるフレームを有する構造物であって、
前記フレームの一部に内部に空気を充填したひさし状の張出部を備えることを特徴とする構造物。
【請求項２】
前記フレームは、柱部と、梁部と、土台部と、からなり、
前記張出部が柱部に備えられていることを特徴とする請求項１に記載の構造物。
【請求項３】
前記フレームは、柱部と、梁部と、土台部と、からなり、
前記張出部が梁部に備えられていることを特徴とする請求項１又は２に記載の構造物。
【請求項４】
前記フレームは、Ｕ字をさかさまにした形状で柱部と梁部を構成する左第一フレームと右第一フレームと、
各第一フレームの床面近くにてＵ字開口に渡される土台部を構成する左第二フレームと右第二フレームと、
左第二フレームと右第二フレーム又は／及び左第一フレームと右第一フレームとに渡される横フレームとからなる請求項２又は３に記載の構造物。
【考案の詳細な説明】
【技術分野】
【０００１】
本考案は、内部に空気を充填したチューブからなるフレームを有する構造物に関する。
【背景技術】
【０００２】
内部に空気を充填したチューブからなるフレームを有する部屋状の構造物は、一般にエアーテントなどと呼ばれ、軽量で組立て・撤収作業も簡単であるといった特徴を有する。このため、特に、設置場所を変えながら組立て・撤収を繰り返しつつ使用されるような建物に適しており、例えば、公園、道路、イベント会場などに設置される簡易店舗、キャンプ場、運動会場などのレジャー・スポーツ施設に設置される住居用・業務用のテントなどとして用いるためのエアーテントが知られている（例えば、特許文献１参照）。
【０００３】
ところで、かかる部屋状の構造物を使用する際には、構造物の壁のすぐ外側や室内の壁際など、構造物本体の周囲付近で作業をすることなどがあり、特に構造物を屋外で使用するときにはこのような場所においても日差しや風雨を避けることができることが望ましい。このため例えば、上述のようなチューブからなるフレームによって構成されるテント本体の周囲に拡げた形状を有し、端部を支柱杭とロープで固定する形で取り付けられたシート状のひさしを備えたものも存在する（特許文献２参照）。
【先行技術文献】
【特許文献】
【０００４】
【特許文献１】：実開平６−０８２３２７号公報
【特許文献２】：特開平５−３２１５１６号公報
【考案の概要】
【考案が解決しようとする課題】
【０００５】
しかしながら、特許文献２に記載の発明のようにテント本体に対して支柱杭といった大掛かりな別部材を取り付ける構成では、構造体全体の重量が増加し、また組立て・撤収作業も煩雑となる。このため、軽量で組立て・撤収作業も簡単であるというかかる構造体の特徴を生かすことができなくなるおそれがある。
【０００６】
そこで、かかる部屋本体の周辺部分でも日差しや風雨などを避けることができるひさし状の張出部分を内部に空気を充填したチューブからなるフレームとしてはじめから構造物の構成要素に組み込んでおけば、この張出部分も含めて構造物を一気に膨らませることができるため、簡単に構造物を組み立てることができて便利である。また、このようなひさし状の張出部分は、例えば構造物を簡易店舗として使用する場合に看板や商品のオブジェとして使用することも可能であり、このような目的を有するひさし状の張出部を構造物の構成要素に組み込んでおくことにも同様の意義がある。
【０００７】
そこで、本考案の解決すべき課題は、内部に空気を充填したチューブからなるフレームを有する部屋状の構造物であって、軽量で組立て・撤収作業も簡単であるという特徴を生かしつつ、本体周辺部分に備えられる日よけ・風よけ・雨よけや、看板や商品のオブジェなどとして使用するためのひさし状の張出部分をフレームの一部に備えた構造体を提供することにある。
【課題を解決するための手段】
【０００８】
以上の課題を解決するため、本考案のうち第一の考案は、内部に空気を充填したチューブからなるフレームを有する構造物であって、前記フレームの一部に内部に空気を充填したひさし状の張出部を備えることを特徴とする構造物を提供する。また、第二の考案は、第一の考案を基礎として、前記フレームは、柱部と、梁部と、土台部とからなり、前記張出部が柱部に備えられていることを特徴とする構造物を提供する。また、第三の考案は、第一又は第二の考案を基礎として、前記フレームは、柱部と、梁部と、土台部とからなり、前記張出部が梁部に備えられていることを特徴とする構造物を提供する。また、第四の考案は、第二又は第三の考案を基礎として、前記フレームは、Ｕ字をさかさまにした形状で柱部と梁部を構成する左第一フレームと右第一フレームと、各第一フレームの床面近くにてＵ字開口に渡される土台部を構成する左第二フレームと右第二フレームと、左第二フレームと右第二フレーム又は／及び左第一フレームと右第一フレームとに渡される横フレームとからなる構造物を提供する。
【考案の効果】
【０００９】
本考案により、内部に空気を充填したチューブからなるフレームを有する部屋状の構造物であって、軽量で組立て・撤収作業も簡単であるという特徴を生かしつつ、本体周辺部分に備えられる日よけ・風よけ・雨よけや、看板や商品のオブジェなどとして使用するためのひさし状の張出部分をフレームの一部に備えた構造体を提供することが可能となる。
【図面の簡単な説明】
【００１０】
【図１】実施例１の構造物の構造等の一例を示す図
【図２】全体が一体的に成形されたフレームの形状の一例を示す断面図
【図３】フレームの一部にファスナーで開閉自在な空気抜き孔を設けた一例を示す図
【図４】実施例２の構造物の構造等の一例を示す図
【符号の説明】
【００１１】
０１００      構造物
０１１１〜０１１４      柱部
０１２１、０１２２      梁部
０１３１      土台部（左第二フレーム）
０１３２      土台部（右第二フレーム）
０１４１、０１４２      張出部
０１５１、０１５２      横フレーム
０１６１      左第一フレーム
０１６２      右第一フレーム
【考案を実施するための形態】
【００１２】
以下に、本考案の実施例を説明する。実施例と請求項の相互の関係は以下のとおりである。実施例１は主に請求項１、請求項２、請求項３などに関し、実施例２は主に請求項４などに関する。なお、本発明はこれら実施例に何ら限定されるものではなく、その要旨を逸脱しない範囲において、種々なる態様で実施しうる。
【実施例１】
【００１３】
<概要>
【００１４】
本実施例の構造物は、内部に空気を充填したチューブからなるフレームを有する構造物であって、前記フレームの一部に内部に空気を充填したひさし状の張出部を備えることを特徴とする構造物である。これにより、かかる構造物の軽量で簡単に組み立てることができるという特徴を生かしつつ、ひさし状の部材を備えた構造体を提供することが可能となる。
【００１５】
<構成>
【００１６】
（構造物全般）
【００１７】
図１は、本実施例の構造物の構造等の一例を示す図である。本図（ａ）に示すように、本例では、本実施例の構造物０１００は、内部に空気を充填したチューブからなるフレームを有する部屋状の構造物であって、前記フレームの一部に内部に空気を充填したひさし状の張出部０１４１、０１４２を備えている。
【００１８】
（フレーム：全般、柱部・梁部・土台部・横フレーム・屋根部・壁部）
【００１９】
フレームは、部屋状の構造物を形成するための必須構成要素である。図１の例では、フレームは、柱部と、梁部と、土台部と、横フレームと、屋根部と、壁部とから構成されている。柱部は４本の柱０１１１〜０１１４（柱０１１２は本図には現れない）からなり、梁部は、左側の２本の柱の頂部付近の間と、右側の２本の柱の頂部付近の間にそれぞれ渡された２本の梁０１２１、０１２２からなる。土台部は、柱０１１１と柱０１１２の間、及び柱０１１３と柱０１１４の間に、それぞれ柱の底部付近において渡されている２本の土台０１３１、０１３２（土台０１３１は本図には現れない）からなる。横フレーム０１５１、０１５２（横フレーム０１５１は本図には現れない）は、柱０１１１と柱０１１３の間、及び柱０１１２と柱０１１４の間に、それぞれ柱の底部付近において渡されている。屋根部０１６１は２本の梁０１２１、０１２２の間に渡される形で備えられている。また、壁部０１６２は、手前に現れている面に設けられている。
【００２０】
また、張出部０１４１、０１４２は柱部を構成する柱０１１１、０１１３にそれぞれ備えられている。ただし、本図に示したフレームの具体的な構成はあくまで一例であって、部屋状の構造物が、一定の空間を占める形で自立することができるものであれば、どのような構成要素によって構成されていてもよい。なお、図１（ｂ）は、理解の便宜のために（ａ）に示した構造物を平面図で表わしたものである。
【００２１】
構造体を簡単に組み立てるという観点からは、フレーム全体が一体的に成形され、一箇所の注入口から空気を充填するだけでフレーム全体を構造体の形状に膨らませることができるようなものが望ましい。
【００２２】
図２は、全体が一体的に成形されたフレームの形状の一例を示す断面図であり、図１に示した構造物の例で示したものである。（ａ）は、図１のＸ−Ｘ部分断面図であり、梁部０２２１、０２２２と屋根部０２６１が一体的に成形され、内部がつながった空間になっていることが現れている。（ｂ）は、図１のＹ−Ｙ部分断面図であり、柱部０２１１、０２１３、張出部０２４１、０２４２及び壁部０２６２が一体的に成形され、内部がつながった空間になっていることが現れている。図示は省略するが、図１に示した構造物では、フレーム全体が一体的に成形され、内部の空間は全体がつながった一つの空間になっている。
【００２３】
また、同じく構造体を簡単に組み立てるという観点から、組み立てた状態のフレーム全体が自立できる構造、形状を有しており、単に地上に載置するだけで構造物として使用できるものであることが望ましい。上述の二層構造のものや補強材料を含むものはかかる観点から好適なものである。
【００２４】
フレームの全体形状に特に限定はない。図１の例では、略直方体のものを示したが、このほか、略直方体以外の略多角柱、略円柱、略多角錐、略円錐などであってもよく、構造物の使用目的などに照らして適切に設計される。
【００２５】
（フレーム：張出部）
【００２６】
本考案に係る構造物の最大の特徴は、フレームの一部に内部に空気を充填したひさし状の張出部が備えられる点にある。図１の例では、前述のように、柱部のうち手前の２本の柱０１１１、０１１３にそれぞれひさし状の張出部０１４１、０１４２が備えられている。
【００２７】
本考案において「ひさし状」とは、構造物の本体部分のフレームの表面から外側に向かって張り出した形状をいう。本考案では、ひさし状の張出部の形状や向きに限定はなく、建築物で一般的に見られるひさしのように略平面や曲面を有する板状のものであって板面が略水平の向きに設けられたものに限らず、図１の例のように板面が略垂直の向きに設けられた板状のものであってもよい。また、形状も板状に限らず、例えば略円筒形状、略球状、略楕円球状のものなどであってよい。張出部の設置場所にも特に限定はなく、日よけ、雨よけ、風よけ、看板、商品オブジェなどの目的に応じて適切な場所に設けられる。
【００２８】
張出部を設ける目的は、主に構造物の本体部分周辺における日よけや雨よけ、風よけとして用いたり、本体部分周辺に設けられる看板、商品オブジェなどとして用いたりすることにある。特に、このような張出部を日差しを遮ることができる位置に設けておけば、部屋状の構造物の室内の温度の上昇をある程度防ぐことも可能となる。本考案では、軽量で組立て作業も簡単であるという構造物の特徴を阻害しないために、張出部をフレームの一部に備えるようにしたことに特徴がある。従って、好適には、本実施例の構造体は、張出部も含めたフレーム全体が一体的に成形され、一箇所の注入口から空気を充填するだけで張出部を含めたフレーム全体を構造体の形状に膨らませることができるように構成される。あるいは、他の好適例として、張出部以外のフレームを組み立てた後に、張出部を取り付けるフレーム部分（図１の例では柱部）に対して、空気を充填した状態の張出部を面ファスナーやファスナーなどを用いて簡単に接着させることができるように構成されたものも考えられる。例えば構造物を簡易店舗として使用し、張出部を商品オブジェとして使用する場合において商品オブジェを交換しながら使用する場合にはこのような構成が便利である。
【００２９】
（張出部が柱部に備えられている構成、梁部に備えられている構成）
【００３０】
図１の例では、張出部は柱部に板面が略垂直の向きになるようにして備えられている。また、図示は省略するが、張出部が梁部に板面が略水平の向きになるようにして備えられているものも考えられる。このほか、張出部の形状、向きに限定がないことは前述のとおりである。
【００３１】
（フレーム：チューブの材料、構造など）
【００３２】
フレームは、内部に空気を充填したチューブからなる。チューブの材料は、軽量で気密性の高いものであれば特に限定はないが、例えば、ゴム引布、ＰＶＣ（Ｐｏｌｙｖｉｎｙｌ  Ｃｈｌｏｒｉｄｅ）ターポリン、ポリウレタン引布などが用いられる。チューブの形状にも特に限定はなく、断面形状は略円形のもののほか、略楕円形、略矩形などであってもよい。前出の図２の例では、柱部、梁部及び土台部を構成するチューブは断面形状が略円形の円筒形状のものであるのに対し、屋根部、壁部及び後述する張出部０２４１、０２４２を構成するチューブは断面形状が略長方形もしくは略楕円形の板状のものである。
【００３３】
また、チューブの構造にも限定はなく、例えば外層に断熱性の高い材料を用いた二層構造もしくは三層以上の構造のものや、表面や内面に金属線やグラスファーバーなどの補強材料を備えたようなものであってもよい。
【００３４】
チューブは、空気透過性を有するものであってもよい。かかるチューブの材料としては、例えば、シリコーンゴムや天然ゴムを用いたゴム引布などが考えられる。また、チューブを二層構造とした場合には、内側層を空気透過性を有する材料、外側層を空気透過性を有しない材料としてもよい。このようにチューブに通気透過性を持たせることで、構造物内部の空調機能を果たすことが可能となる。なお、チューブが空気透過性を有する場合には、時間の経過につれて構造物が次第に萎んでくることを防ぐため、ポンプなどによって使用中絶えず空気をチューブ内に送り続けることが望ましい。
【００３５】
チューブは、撤収作業をさらに容易にするための構成を備えていてもよい。具体的には、例えば、フレームの一部にファスナーなどで開閉自在な空気抜き孔を設けることが考えられる。
【００３６】
図３は、フレームの一部にファスナーで開閉自在な空気抜き孔を設けた一例を示す図であり、構造物を背面方向（図１の矢印Ｂ方向）から見た状態を示したものである。本図の例では、背面側に位置する２本の柱０３１２、０３１４の一部にファスナーで開閉自在な空気抜き孔０３６１、０３６２が設けられている。撤収時にこの孔を開くことで、チューブ内の空気を抜くための時間を短縮することができ、撤収作業をより容易に行うことが可能となる。なお、空気抜き孔の位置や大きさは、空気を抜くための時間をどの程度短縮するかといった点や、構造物の美観への影響などを総合勘案して適時設計すればよいが、例えば構造物を簡易店舗に利用する場合には、美観への配慮から空気抜き孔の位置を構造物の背面側や内部に面する側などの目立たない位置にすることが考えられる。図３の例もかかる美観に配慮した一例である。
また、図示は省略するが、フレームの一部にファスナーで開閉自在な空気抜き孔を設けた例として、柱部のほか、屋根部にもこのような空気抜き孔を設けた例が考えられる。この場合、柱部の空気抜き孔は、例えば図３の例と概ね同様に、背面側に位置する２本の柱の目立たない位置に設けられる。また、屋根部の空気抜き穴は、例えば屋根の上面の梁との境界付近に設けられる。そして、空気を抜く際には、まず、柱の空気抜き孔を開いてそこから空気の放出を開始する。そして構造物が次第にしぼんで屋根の空気抜き穴が作業者の手の届く程度の高さになったところで、屋根の空気抜き孔も開き、構造物を押しつぶすようにしてこれらすべての孔から空気を抜くようにすれば、空気を抜く時間をより短縮し、撤収作業をさらに容易に行うことが可能となる。
【００３７】
（フレーム以外の構成要素）
【００３８】
本実施例の構造物は、フレーム以外の構成要素を備えたものとすることも可能である。例えば、構造物の壁をすべてフレームとして備えるようにしてももちろんよいが、図１に示したような一部の面に壁が設けられていないフレームに、フレーム以外の構成要素として後から壁を付加した構造物としてもよい。このような構成は、状況に応じて壁を付加したり外したりしながら使用する形態の場合に向いていると言える。このような構成の場合、軽量で簡単に着脱ができるような、例えばはめ込み式のものとすることで、本考案の特徴である軽量で組立て・撤収作業が簡単であるという点を阻害しないようにすることができる。
【００３９】
<効果>
【００４０】
本実施例の考案により、内部に空気を充填したチューブからなるフレームを有する部屋状の構造物であって、軽量で組立て・撤収作業も簡単であるという特徴を生かしつつ、本体周辺部分に備えられる日よけ・風よけ・雨よけや、看板や商品のオブジェなどとして使用するためのひさし状の張出部分をフレームの一部に備えた構造体を提供することが可能となる。
【実施例２】
【００４１】
<概要>
【００４２】
本実施例の構造物は、実施例１の構造物と基本的に共通するが、前記フレームが、Ｕ字をさかさまにした形状で柱部と梁部を構成する左第一フレームと右第一フレームと、各第一フレームの床面近くにてＵ字開口に渡される土台部を構成する左第二フレームと右第二フレームと、左第二フレームと右第二フレーム又は／及び左第一フレームと右第一フレームとに渡される横フレームとからなることを特徴とするものである。
【００４３】
<構成>
【００４４】
（構造物の構造、形状等：全般）
【００４５】
本実施例の構造物は、フレームが柱部と、梁部と、土台部とを有し、柱部又は／及び梁部に張出部が備えられている構造物であって、前記フレームが、左第一フレームと、右第一フレームと、左第二フレームと、右第二フレームと、横フレームとを有するものである。
【００４６】
前出の図１に示したものは、かかる構造物の一例である。即ち、本図の例において、構造物０１００は、フレームが、柱部を構成する２本の柱０１１１、０１１２（ただし、柱０１１２は図には現れない）と梁部を構成する梁０１２１とからなる左第一フレームと、柱部を構成する２本の柱０１１３、０１１４と梁部を構成する梁０１２２とからなる右第一フレームと、左第二フレーム０１３１と、右第二フレーム０１３２と、横フレーム０１５１、０１５２を有する。このほかに、本実施例の構造物は、屋根部と壁部を有する。
【００４７】
（構造物の構造、形状等：第一フレーム）
【００４８】
左第一フレームは、Ｕ字をさかさまにした形状で柱部と梁部を構成するフレームであって、構造物の正面方向（図１では矢印Ａ方向）から見て左側に現れるものである。また、右第一フレームは、左第一フレームと同様にＵ字をさかさまにした形状で柱部と梁部を構成するフレームであって、構造物の正面方向から見て右側に現れるものである。柱部の中空部分と梁部の中空部分は連続した一体の空間を形成していることが望ましい。柱部と梁部を合わせた部分の形状をＵ字をさかさまにした形状とし、かつこのように柱部と梁部を一体的に形成することで、空気がチューブ内を滑らかに移動することができるので、注入口から空気を充填して構造体の形状に膨らませる作業をより容易に行うことが可能となる。
【００４９】
（構造物の構造、形状等：第二フレーム）
【００５０】
左第二フレームは、左第一フレームの床面近くにてＵ字開口に渡される土台部を構成するフレームである。また、右第二フレームは、右第一フレームの床面近くにてＵ字開口に渡される土台部を構成するフレームである。このようにＵ字開口にフレームを渡すことで、外に開こうとする各第一フレームの開口部分によって各第二フレームが両端方向に引っ張られる方向に力が働くため、第一・第二フレームの強度が増すとともに形状が安定し、もって構造物全体をより安定した状態で自立させることが可能となる。
【００５１】
（構造物の構造、形状等：横フレーム）
【００５２】
横フレームは、左第二フレームと右第二フレーム又は／及び左第一フレームと右第一フレームとに渡されるフレームである。
【００５３】
図４は、本実施例の構造物の構造等の一例を示す図であって、左第一フレーム、右第一フレーム、左第二フレーム、右第二フレーム、横フレーム、屋根部及び壁部を備えた例を示す。本図に示す構造物は簡易店舗として使用される例であり、ホットドッグをかたどった張出部０４４１、０４４２は主に商品オブジェとしての役目を果たしている。また、壁部に接客用の窓を設けるために、壁部を構成するフレームは中央に開口を有する形状のものが用いられている。この場合、張出部は、窓の前にいる顧客や窓際で作業をする店員にとっての風よけとしての役目も果たしている。
【００５４】
<効果>
【００５５】
本実施例の考案によっても、内部に空気を充填したチューブからなるフレームを有する部屋状の構造物であって、軽量で組立て・撤収作業も簡単であるという特徴を生かしつつ、本体周辺部分に備えられる日よけ・風よけ・雨よけや、看板や商品のオブジェとして使用するためのひさし状の張出部分をフレームの一部に備えた構造体を提供することが可能となる。特に、柱部と梁部をＵ字をさかさまにした形状で一体的に成形することで、当該部分の組立て（膨らまし）・撤収作業をより容易に行うことができるようになる。
【図１】
0003183137.tif 000003
【図２】
0003183137.tif 000004
【図３】
0003183137.tif 000005
【図４】
0003183137.tif 000006